(57)【特許請求の範囲】
【請求項１】
軒樋を受け支持する樋受け具本体と、該樋受け具本体を端部に支持し、軒先近傍に固定される竿状取付部とを備えた軒樋支持具の前記竿状取付部を、前記軒樋支持具が前記軒先に固定された状態で曲げ加工する軒樋支持具曲げ加工用工具であって、
前記竿状取付部の長手方向の選択された位置を曲げ基部として、該曲げ基部よりも前記樋受け具本体がわが回動変形されるようになっており、
前記軒樋支持具曲げ加工用工具の工具本体は、棒状体とされており、該棒状体の一端に動作部を、他端に操作部を、中間に支点部を有しており、前記支点部が前記曲げ基部にあてがわれて、前記動作部により前記竿状取付部の長手方向における前記曲げ基部よりも前記樋受け具本体に近い部位を保持して、前記動作部が前記支点部を支点とした回動動作をなすように前記操作部で手動により動作されるように構成されており、
前記動作部は前記竿状取付部を抱持する形状とされ、前記支点部は前記曲げ基部を嵌合することでずれを防止する形状とされることを特徴とする軒樋支持具曲げ加工用工具。
【発明の詳細な説明】
【技術分野】
【０００１】
本発明は、軒樋を受け支持する軒樋支持具の竿状取付部を、軒先近傍に固定された状態で曲げ加工することができる軒樋支持具曲げ加工用工具に関する。
【背景技術】
【０００２】
この種の軒樋支持具は、複数のものが、軒先に突出した複数の垂木などに横方向に並ぶように固定され、軒樋を下方より受け支持する構成となっている。
【０００３】
このような複数の軒樋支持具は、軒樋をわずかな水勾配でもって設置できるようにするために、当然に下流側のものほど低い位置に取り付けられる。
【０００４】
従来には、軒樋の長手方向における軒樋支持具の取り付け高さ位置を容易に調整できる軒樋支持具が種々提案されている（たとえば、特許文献１参照）。
【先行技術文献】
【特許文献】
【０００５】
【特許文献１】特開２００９−１２１１９５号公報
【発明の概要】
【発明が解決しようとする課題】
【０００６】
しかしながら、高さ調整構造を軒樋支持具に付加すれば軒樋支持具の全体構造が複雑化し、コストアップにつながる。特に、簡易な構造の軒樋支持具（軒樋受け具）の場合、そのような高さ調整構造を付加すれば大幅にコスト増が予想される。
【０００７】
したがって、従来の軒樋受け具の施工においては、正しく測定した高さ位置に軒樋支持具を取り付けるようにしていたが、そもそも水勾配はわずかであるため、取り付け誤差などにより、軒樋の支持高さが狂う場合があった。その場合には、施工後に、工具などを用いて個々の軒樋支持具の竿状取付部を曲げることで、軒樋の支持高さを調整していた。
【０００８】
本発明は、このような事情を考慮して提案されたもので、その目的は、軒樋支持具の施工後に、軒樋の支持高さを簡単に調整できる軒樋支持具曲げ加工用工具を提供することにある。
【課題を解決するための手段】
【０００９】
上記目的を達成するために、請求項１に記載の軒樋支持具曲げ加工用工具は、軒樋を受け支持する樋受け具本体と、樋受け具本体を端部に支持し、軒先近傍に固定される竿状取付部とを備えた軒樋支持具の竿状取付部を、軒樋支持具が軒先に固定された状態で曲げ加工する軒樋支持具曲げ加工用工具であって、竿状取付部の長手方向の選択された位置を軒樋支持具曲げ加工用工具の工具本体は、棒状体とされており、棒状体の一端に動作部を、他端に操作部を、中間に支点部を有しており、支点部が曲げ基部にあてがわれて、動作部により竿状取付部の長手方向における曲げ基部よりも樋受け具本体に近い部位を保持して、動作部が支点部を支点とした回動動作をなすように操作部で手動により動作されるように構成されており、動作部は竿状取付部を抱持する形状とされ、支点部は曲げ基部を嵌合することでずれを防止する形状とされることを備えたことを特徴とする。
【００１０】
（削除）
【００１１】
（削除）
【００１２】
（削除）
【発明の効果】
【００１３】
請求項１に記載の軒樋支持具曲げ加工用工具によれば、上述の構成となっているため、軒樋支持具の施工後に、簡単に竿状取付部を曲げることができ、それにより軒樋の支持高さを調整することができる。
【００１４】
また、請求項１に記載の軒樋支持具曲げ加工用工具によれば、上述の構成となっているため、回動動作中における動作部での竿状取付部のずれや外れの発生を防止できる。
【００１５】
（削除）
【００１６】
（削除）
【図面の簡単な説明】
【００１７】
【図１】本発明の一実施形態に係る軒樋支持具曲げ加工用工具の利用態様を示す側面図である。
【図２】図１に示した軒樋支持具曲げ加工用工具の斜視図である。
【図３】本発明の他の実施形態（参考例）に係る軒樋支持具曲げ加工用工具の利用態様を示す側面図である。
【図４】図３に示した軒樋支持具曲げ加工用工具の斜視図である。
【図５】動作部の他の例を示す部分斜視図である。
【発明を実施するための形態】
【００１８】
以下に、本発明の実施の形態に係る軒樋支持具曲げ加工用工具について、添付図面を参照して説明する。まず、以下の実施形態に係る軒樋支持具曲げ加工用工具１０、１０の共通の構成について説明する。
【００１９】
軒樋支持具曲げ加工用工具１０、１０は、軒樋１を受け支持する樋受け具本体２１と、樋受け具本体２１を端部に支持し、軒先近傍に固定される竿状取付部２２とを備えた軒樋支持具２０の竿状取付部２２を、軒樋支持具２０が軒先に固定された状態で曲げ加工するための工具である（図１〜図４参照）。
【００２０】
軒樋支持具曲げ加工用工具１０（以下、工具１０と略す）による加工対象の軒樋支持具２０は、竿状取付部２２の長手方向の選択された位置を曲げ基部２３として、曲げ基部２３よりも樋受け具本体２１がわが回動変形されるようになっている。
【００２１】
この工具１０の工具本体は、棒状体とされており、軒樋支持具２０の曲げ基部２３にあてがわれる支点部１２と、竿状取付部２２の長手方向における曲げ基部２３よりも樋受け具本体２１に近い部位を保持して、支点部１２を支点とした回動動作をなす動作部１１と、動作部１１を手動により動作させる操作部１３とを備えている。
【００２２】
すなわち、これらの工具１０、１０は、てこの原理を利用して、軒樋支持具２０の竿状取付部２２を曲げ加工できるようになっている。
【００２３】
ついで、２種の工具１０、１０の詳細について順次説明する。
【００２４】
図１、図２に示した工具１０は、図１に示したようなＵ字形状をなした竿状取付部２２を有した軒樋支持具２０を曲げ加工する工具である。
【００２５】
この軒樋支持具２０は、底部が湾曲した軒樋１を支持するための樋受け具本体２１と、樋受け具本体２１の下部に固定された竿状取付部２２とを備えている。
【００２６】
竿状取付部２２は、樋受け具本体２１の下部より下方に直線状に延びた支持部２２ａを有し、その支持部２２ａの下部には折曲部２２ｂが形成され、その後方（垂木３）側より湾曲しながら上方に延び、さらに後方に折曲して後方に向けて斜め上方に延びた固定部２２ｃを備えている。竿状取付部２２は支持部２２ａ、固定部２２ｃが一体となってステンレスなどの金属より製されている。
【００２７】
支持部２２ａは丸棒体よりなる。また、固定部２２ｃは、支持部２２ａ側の部位が丸棒体とされ、開放端部側は平板形状となっている。この平板部分には垂木３の側面に釘止めするための２つの挿通孔２２ｄ、２２ｄが開設されている。
【００２８】
一方、工具本体は、図２に示すように、帯板を加工した板状体とされる。この工具１０は、図１に示すように竿状取付部２２の支持部２２ａの前方側にあてがうように取り付けて使用されるようになっている。
【００２９】
工具１０を使用する際における工具１０の一端（上端）（図１、図２参照）には、軒樋支持具２０の支持部２２ａを抱持する抱持凹所１１ａを有した平面視コ字形状の動作部１１が形成され、他端に操作部が形成され、中間に支点部が形成されている。板体の中央の支点部１２に相当する部位の後方側の板面には、支持部２２ａと折曲部２２ｂの境界部分（曲げ基部２３）を嵌め入れる凹溝１２ａが形成されている。また、工具本体の支点部１２よりも下方部に位置する他端が人の手指で掴んで操作するための操作部１３である。なお、抱持凹所１１ａは、竿状取付部２２を圧入できるような寸法とすることが望ましい。
【００３０】
軒樋支持具２０の支持部２２ａの上部を動作部１１で抱持し、支持部２２ａの下部に位置する曲げ基部２３を凹溝１２ａに嵌め入れた状態にして、支点部１２を中心に操作部１３を図１の矢印方向に回動させることで、動作部１１も前傾するように回動する。この回動操作によって、軒樋支持具２０の支持部２２ａが、支点部１２に接している部位を曲げ基部２３として前方に曲げられる。
【００３１】
このように軒樋支持具２０の支持部２２ａをわずかにでも前方に曲げることで、樋受け具本体２１の前部は、図１において２点鎖線で示した、前方の斜め下方位置に移動する。
【００３２】
このように、この工具１０を用いれば、簡単に軒樋１の支持高さを下方（図１の白抜き矢印の方向）にずらすことができる。
【００３３】
以上のように、図１、図２に示した実施形態に係る工具１０は、上部から動作部１１、支点部１２、操作部１３を有した構造とされ、動作部１１は作用点に、支点部１２は支点に、操作部１３は力点にそれぞれ相当し、てこの原理で、軒樋支持具２０の竿状取付部２２を曲げ加工できるようになっている。
【００３４】
この工具１０は支点を中央に配した構造であるが、力点、作用点、支点の並びの、たとえば図３、図４に示した構造のものが参考例として挙げられる。
【００３５】
図３、図４に示した工具１０は、図３に示したようなＶ字形状をなした竿状取付部２２を有した軒樋支持具２０を曲げ加工する工具１０である。
【００３６】
この軒樋支持具２０は、底部が湾曲した軒樋１を支持するための樋受け具本体２１と、樋受け具本体２１の下部に固定された竿状取付部２２とを備えている。
【００３７】
竿状取付部２２は、樋受け具本体２１の下部より下方に直線状に延びた支持部２２ａを有し、その支持部２２ａの下部には折曲部２２ｂが形成され、その後方側より斜め上方に延びた固定部２２ｃを備えている。竿状取付部２２は支持部２２ａ、固定部２２ｃが一体となってステンレスなどの金属より製されている。
【００３８】
竿状取付部２２は丸棒体よりなる。また、固定部２２ｃの端部（後端）には尖鋭部２２ｅが形成され、この尖鋭部２２ｅを垂木３の先端に打ち込んで固定されるようになっている。
【００３９】
一方、工具本体は、帯板を加工した板状体とされる。この工具１０は、図３に示すように竿状取付部２２のうちの垂木３よりも前方に配された固定部２２ｃの露出部分の下側にあてがうように取り付けて使用されるようになっている。
【００４０】
工具１０を使用する際の工具１０の後端（図３、図４参照）には、軒樋支持具２０の固定部２２ｃを抱持する抱持凹所１２ｂを有した側面視コ字状の支点部１２が形成され、それよりも前方でかつ軒樋支持具２０の折曲部２２ｂの後方に、軒樋支持具２０の固定部２２ｃを抱持する抱持凹所１１ａを有した、支点部１２と同形状の動作部１１が形成されている。また、工具本体の、軒樋支持具２０の折曲部２２ｂの位置よりも前方に突き出た部位が人の手指で掴んで操作するための操作部１３である。なお、抱持凹所１１ａ、１２ｂは、竿状取付部２２を圧入できるような寸法とすることが望ましい。
【００４１】
軒樋支持具２０の固定部２２ｃのうちの露出した部位を支点部１２および動作部１１のそれぞれで抱持し、支点部１２が抱持した部位を曲げ基部２３として、操作部１３を上下いずれかの方向（図３の矢印方向）に回動させることで、曲げ基部２３が曲げられて動作部１３が回動する。この回動操作によって、軒樋支持具２０の固定部２２ｃの露出した部位が、支点部１２をあてがった部位を中心として上方または下方に曲げられる。そして、固定部２２ｃの曲げにより、支持部２２ａおよび支持部２２ａに連結した樋受け具本体２１の位置が変動する。
【００４２】
このようにして、この工具１０を用いることで、軒樋支持具２０の樋受け具本体２１の前部を、たとえば図３において２点鎖線で示した前方の斜め下方位置に移動させることができ、それにより、簡単に軒樋１の支持高さを下方（図３の白抜き矢印の方向）にずらすことができる。
【００４３】
以上には２種の工具１０、１０のうち図１のものは支点部１２が竿状取付部２２を抱持する構成ではないが、抱持する構成であってもよい。また、図３のものは支点部１２が竿状取付部２２を抱持する構成であるが、抱持しない構成であってもよい。支点部１２が竿状取付部２２を抱持するほうが、図３の例で説明したように、工具１０を両方向に回動させることができるため望ましい。
【００４４】
また、図３、図４に示した工具１０は支点部１２が端部に形成され、その位置に相当する部位を曲げ基部２３として曲げられるようになっているため、支点部１２を固定部２２ｃの露出した部分の任意の部位にあてがって曲げ加工することができるが、図３の例のように、垂木３への打ち込み部近傍にあてがうようにすれば工具１０を安定させることができ、望ましい。
【００４５】
また、工具１０の支点部１２や動作部１１の抱持形状としては、より外れにくくするために、図５に示したような形状としてもよい。図５は動作部１１の抱持構造を例示したものであるが、支点部１２も同様の構造を採用することができる。
【００４６】
図５に示した動作部１１の抱持構造は、Ｌ字形状の空所１１ｂを有し、開口１１ｃから挿入した軒樋支持具２０の竿状取付部２２の棒状部をＬ字移動させて、空所終端の抱持凹所１１ａに移動させることができるようになっている。
【００４７】
竿状取付部２２をＬ字形状に沿って抱持凹所１１ａに装着する構造であるため、軒樋支持具２０は外れにくい。特に、動作部１１をこのような抱持構造とし、図５の矢印方向へ回動する構造とすれば、動作部１１に遊びが形成されて、より使いやすくなる。
【符号の説明】
【００４８】
１０            軒樋支持具曲げ加工用工具
１１            動作部
１１ａ          抱持凹所
１１ｂ          空所
１１ｃ          開口
１２            支点部
１２ａ          凹溝
１２ｂ          抱持凹所
１３            操作部
２０            軒樋支持具
２１            樋受け具本体
２２            竿状取付部
２２ａ          支持部
２２ｂ          折曲部
２２ｃ          固定部
２２ｄ          挿通孔
２２ｅ          尖鋭部
２３            曲げ基部
１              軒樋
３              垂木
【要約】
【課題】軒樋支持具の施工後に、軒樋の支持高さを簡単に調整できる軒樋支持具曲げ加工用工具を提供する。
【解決手段】軒樋支持具２０は竿状取付部２２の長手方向の選択された位置を曲げ基部２３として、曲げ基部２３よりも樋受け具本体２１がわが回動変形されるようになっている。軒樋支持具曲げ加工用工具１０は、棒状体とされており、曲げ基部２３にあてがわれる支点部１２と、竿状取付部２２の長手方向における曲げ基部２３よりも樋受け具本体２１に近い部位を保持して、支点部１２を支点とした回動動作をなす動作部１１と、動作部１１を手動により動作させる操作部１３とを備えている。
【選択図】図１【図１】
0006035386.tif 000002
【図２】
0006035386.tif 000003
【図３】
0006035386.tif 000004
【図４】
0006035386.tif 000005
【図５】
0006035386.tif 000006